(57)【要約】【課題】編集器、収録用ＶＴＲ若しくは編集テープ、又は、放送素材収録部には、元素材テープのタイムコードが保持されない。このため、編集時以降は、元素材のタイムコードを利用することができない。更に、編集時にタイムコードを設定しても放送素材記録部に書き込む時に、タイムコードが失われ、放送時に編集時に設定したタイムコードを利用することができない場合がある。【解決手段】元素材テープのタイムコード等、編集時に必要となるタイムコードをデータベース上に保存しておくことにより、編集時に元素材のタイムコードを利用可能とし、また、編集時に設定したタイムコードを放送時に利用することを可能とする番組編集送出システム。【選択図】図３
2009077247.tif 000002
【特許請求の範囲】
【請求項１】
放送素材を収録、編集、及び放送する番組編集送出システムにおいて、元素材を記録する放送素材記録部と、データベースと、上記データベースに上記元素材が持つタイムコードデータを保存する制御部と、上記放送素材記録部に記録された元素材をネットワーク回線を介して取得し、取得した元素材を編集して放送素材を編集する編集器であって、上記データベースに記録されたタイムコードデータを利用してタイムコードを設定し、設定したタイムコードデータを上記データベースに記録すると共に上記放送素材記録部に記録する編集器とを備えたことを特徴とする番組編集送出システム。
【発明の詳細な説明】
【技術分野】
【０００１】
本発明は、番組編集送出システムに関わり、特に、放送素材をランダムアクセス可能な放送素材記録装置に関する。
【背景技術】
【０００２】
図１によって、従来の番組編集送出システムについて説明する。なお、以降に示す各図において、共通な機能を有する部分には同一符号を付して、その重複する説明を省略する場合がある。
【０００３】
図１は、従来の番組編集送出システムの一部のブロック図で、オフライン編集を行う部分の構成を示す図である。１０１は放送素材が記録されたビデオテープ（以降、元素材テープと称する）、１０２は再生用ＶＴＲ（ Video Tape Recorder ）、１０３は再生制御信号、１０４は元素材映像音声信号、１０５は編集器、１０６は収録制御信号、１０７は編集後の映像音声信号、１０８は収録用ＶＴＲ、１０９は編集後の放送素材１０７が書き込まれたビデオテープ（以降、編集テープと称する）である。
【０００４】
図１において、従来の番組編集送出システムでは、放送素材は、ビデオテープに記録され、元素材テープ１０１として、持ち込まれる。編集器１０５から再生制御信号１０３が再生用ＶＴＲ１０２に出力されると、再生用ＶＴＲ１０２では、元素材テープ１０１の再生を実行し、再生された映像と音声の信号（以降、映像信号１０４と称する）が編集器１０５に出力される。
オフラインの編集器１０５では、オペレータは、入力された元素材テープ１０１の映像信号１０４を編集して、編集後の放送素材１０７とする。
オペレータは、編集終了後、収録制御信号１０６を収録用ＶＴＲ１０８に出力して、随時、編集後の放送素材１０７を収録用ＶＴＲ１０８に出力する。収録用ＶＴＲ１０８は、入力された編集後の放送素材１０７を、ビデオテープに書き込む（そのビデオテープを編集テープ１０９と称する。）。
【０００５】
編集テープ１０９は、その後、放送用として、図示しない送出器から送出（テレビ放送、等）されていた。
この場合、編集器１０５は、映像信号１０４の入力時に、元素材テープ１０１に記録された放送素材のタイムコードを取得し、編集時に使用する。また、編集後には、ビデオテープに書き込む時に、編集時に設定されたタイムコードを書き込むことができる。
【０００６】
次に、ネットワークを介して編集を行う従来例について、図２を用いて説明する。図２は、従来の番組編集送出システムの一部のブロック図で、ネットワークを介して編集を行う部分の構成を示す図である。２００はネットワーク回線、２０１は放送素材記録部、２０２は制御部、２０３は再生制御信号、２０４は元素材収録再生制御信号、２０５は放送素材記録部２０１に記録された元素材データ、２０８は編集器、２０６は編集器２０８で編集された後の映像音声データ（編集後映像データと称する）、２０９は送出端子、２０７は制御部２０２の指示により放送素材記録部２０１から送出端子２０９を介して送出される放送素材である。
【０００７】
図２において、従来の放送素材記録部２０１及びネットワーク回線２００を使用した編集システムでは、放送素材は、ビデオテープに記録され、元素材テープ１０１として、持ち込まれる。そして、制御部２０２から再生制御信号２０３が再生用ＶＴＲ１０２に出力されると、再生用ＶＴＲ１０２では、元素材テープ１０１の再生を実行し、再生された映像信号１０４が放送素材記録部２０１に出力される。このように、放送素材は、一旦、放送素材記録部２０１に記録され、編集器２０８と放送素材記録部２０１とは、以下、ネットワーク回線２００を介して通信する。
【０００８】
編集器２０８では、オペレータは、ネットワーク回線２００を介して放送素材記録部２０１と接続し、まず、放送素材記録部２０１に収録された所望の放送素材（元素材データ２０５）を配信するように要求する。放送素材記録部２０１は、要求を受けた放送素材（元素材データ２０５）をネットワーク回線２００を介して編集器２０８に配信する。
編集器２０８では、オペレータは、入力された元素材データ２０５を編集して、編集後映像データ２０６とする。
オペレータは、編集終了後、編集後映像データ２０６をネットワーク回線２００を介して放送素材記録部２０１に送信し、放送素材記録部２０１は受信した編集後映像データ２０６を記録する。
【０００９】
制御部２０２は、元素材収録再生制御信号２０４をプログラムに従って、随時、放送素材記録部２０１に出力する。放送素材記録部２０１は、制御部２０２の指示に従って、所定の放送素材２０７を送出端子２０９を介して送出する。
この時、放送素材記録部２０１は、元素材データ２０５のタイムコードを管理しておらず、編集器２０８が元素材データ２０５のタイムコードを参照すること、及び編集後映像データ２０６にタイムコードを付加することができない場合があった。
【００１０】
【特許文献１】特開２００３−３４８５２５号公報
【発明の開示】
【発明が解決しようとする課題】
【００１１】
上述のように、従来技術において、編集器１０５若しくは２０８、収録用ＶＴＲ１０８若しくは編集テープ１０９、又は、放送素材収録部２０１には、元素材テープのタイムコードが保持されない。このため、編集時以降は、元素材のタイムコードを利用することができない。更に、編集時にタイムコードを設定しても放送素材記録部に書き込む時に、タイムコードが失われ、放送時に編集時に設定したタイムコードを利用することができない場合がある。
また、上記の特許文献１には、ネットワークを介して、番組素材を受信して編集する番組制作送出装置、即ち、ネットワークを介して番組を放送する番組放送局についての記載がある。しかし、本願発明の課題のタイムコードについての記述は一切開示されていない。
本発明の目的は、元素材テープのタイムコード等、編集時に必要となるタイムコードが失われない番組編集送出システムを提供することにある。
【課題を解決するための手段】
【００１２】
上記の目的を達成するため、本発明の番組編集送出システムは、元素材テープのタイムコード等、編集時に必要となるタイムコードをデータベース上に保存しておくことにより、編集時に元素材のタイムコードを利用可能とし、また、編集時に設定したタイムコードを放送時に利用することを可能とするものである。
【００１３】
即ち、本発明の番組編集送出システムは、放送素材を収録、編集、及び放送する番組編集送出システムにおいて、元素材が持つタイムコード情報を編集器にて利用し、編集作業の効率化を図るものである。
また更に、本発明の番組編集送出システムは、放送素材を収録、編集、及び放送する番組編集送出システムにおいて、編集時に設定されたタイムコード情報をデータベースに保存し、データベース内のタイムコード情報を参照することによって、送出素材を送出するものである。
【発明の効果】
【００１４】
本発明によれば、番組編集送出システムにおいて、元素材のタイムコード、及び、編集時に設定したタイムコードを利用可能となり、編集作業の効率向上、及び番組送出の信頼性の向上を実現できる。
【発明を実施するための最良の形態】
【００１５】
本発明は、放送に使用するための元素材をランダムアクセス可能な放送素材記録部に記録し、収録された元素材を、ネットワーク経由で接続された編集器によって編集し、編集された放送素材をネットワーク経由で放送素材記録部に記録し、プレイリストに従って放送を行う番組編集送出システムである。また、放送素材記録部に、元素材若しくは編集後の放送素材を記録時に、元素材及び編集後の放送素材のタイムコードをデータベースに保存しておき、編集時及び放送素材送出時にデータベースに保存されたタイムコードを参照することを可能としたものである。これによって、作業効率の向上と番組素材の送出の信頼性向上を実現するものである。
【００１６】
映像及び音声情報が記録されたテープ上に、それらの記録と同時に記録される時間情報をタイムコードという。タイムコードは、時［ｈ］、分［ｍ］、秒［ｓ］、の他にフレーム［ｆ］という単位で表される。
ネットワーク経由で元素材や編集後の放送素材を伝送するためには、デジタルデータとして伝送する上、圧縮して伝送することが多く、タイムコードの重要性が増している。また、タイムコードは、映像と音声を一致させる場合にも必要となっている。
タイムコードの１フレームの値は、１［ｓ］を３０に分割して表したものである。例えば、ＮＴＳＣ（ National Television System Committee ）方式では、フレームレートは、２９．９７［ｆｐｓ］であるために、１［ｓ］で０．０３［ｆｐｓ］、即ち、１［ｈ］で１０８フレームの時間のずれが発生してしまうことになり、この補正が必要になるため、各元素材のタイムコードや編集後の放送素材のタイムコードが、それらの素材の送出時に必要になってくることがある。
【００１７】
以下、添付図面を参照しながら従来技術を詳細に説明する。なお、各図において、共通な機能を有する部分には同一符号を付して、その重複する説明を省略することがある。
【００１８】
図３によって、元素材テープ上のタイムコードを編集器で利用する本発明の一実施例を説明する。図３は、本発明の番組編集送出システムの一部のブロック図で、番組素材の編集を行う部分の構成を示す図である。１０１は放送素材が記録されたビデオテープ（以降、元素材テープと称する）、１０２は再生用ＶＴＲ（ Video Tape Recorder ）、１０４は元素材映像音声信号、２０１はランダムアクセス可能な放送素材記録部、３０３は制御部、２０３は再生制御信号、２０４は元素材収録再生制御信号、２０５は放送素材記録部２０１に記録された元素材データ、３０４は編集器、２０６は編集器３０４で編集された後の映像音声データ（編集後映像データと称する）、２０９は送出端子、２０７は制御部２０２の指示により放送素材記録部２０１から送出端子２０９を介して送出される放送素材、３０１はデータベース、３０２は基準タイムコードデータである。
なお、図３において、再生用ＶＴＲ１０２への入力線（元素材テープ１０１からの入力）と出力線（放送素材記録部２０１への出力）以外の結合線はすべて、ネットワーク回線である。
【００１９】
図３において、放送素材は、ビデオテープに記録され、元素材テープ１０１として、持ち込まれる。そして、制御部３０３から再生制御信号２０３が再生用ＶＴＲ１０２に出力されると、再生用ＶＴＲ１０２では、元素材テープ１０１の再生を実行し、再生された映像信号１０４を放送素材記録部２０１に出力する。かつ、再生用ＶＴＲ１０２では、再生された映像信号１０４のタイムコードデータ（基準タイムコードデータ３０２）を制御部３０３に出力する。
放送素材記録部２０１は、入力された映像信号１０４に素材名等の付加情報を関連付けして映像信号１０４と共に記録する。
制御部３０３は、入力された基準タイムコードデータ３０２を、更に基準タイムコードデータ３０２としてデータベース３０１に出力する。データベース３０１は、入力された基準タイムコードデータ３０２を、放送素材記録部２０１に記録された元素材の映像信号１０４と１対１に対応するように素材名等の付加情報と対応づけして記録する。即ち、基準タイムコードデータ３０２は、放送素材記録部に記録された素材に対して１対１に対応するように、作成され、データベース３０１に格納される。
基準タイムコードデータ３０２は、データベース３０１内のデータ領域に、例えば、元素材テープ１０１に記録された素材名が“素材Ａ”ならば、「素材Ａ、01：00：00：00」、素材名が“素材Ｂ”ならば、「素材Ｂ、10：00：00：00」、素材名が“素材Ｃ”ならば、「素材Ｃ、01：00：00：00」、等と記録される。
【００２０】
編集器３０４では、オペレータが編集作業を開始する時に、放送素材記録部２０１に編集用の元素材２０５をネットワーク回線を介して要求すると共に、要求した元素材２０５に１対１に対応する基準タイムコードデータ３０２をデータベースに要求する。
放送素材記録部２０１は、要求された元素材２０５をネットワーク回線を介して編集器３０４に出力する。また、データベース３０１は、要求された基準タイムコードデータを編集器３０４に出力する。
編集器３０４では、編集中に、オペレータは、編集器３０４に付属する図示しないモニタにタイムコードを表示する場合に、現在地のタイムコードに基準タイムコードを加味することにより、元素材のタイムコードに相当するタイムコード（元素材記録時のタイムコード）を利用することができる。即ち、オペレータは、画面に表示された編集時のタイムコード（基準タイムコード）と元素材記録時のタイムコードとを比較することにより、共に表示されている映像と、タイムコードとの対応関係を確認できる。
なお、ここで、現在地のタイムコードとは、現在表示している元素材の先頭位置を基準（０［ｈ］、０［ｍ］、０［ｓ］、０［ｆ］）にした相対的なタイムコードである。
例えば、画面に表示されるタイムコード（［ｈ］、［ｍ］、［ｓ］、［ｆ］の順に表示）は、基準点のタイムコードが（１）「１０：００：００：０」で、現在地のタイムコードが（２）「００：０２：３０：０」であれば、加算されたタイムコード（３）「１０：０２：３０：０」と表示される。タイムコード表示は、上記（１）〜（３）すべて表示されても良いし、（３）だけもしくは、（１）と（３）が表示される、等、オペレータの選択による。
【００２１】
次に、編集された後の放送素材（例えば、編集後映像データ２０６）での放送時のタイムコードの利用について、図４と図５を使って説明する。図４は、図３の実施例で説明したブロック構成図においてデータベース３０１、放送素材記録部２０１、及び、編集器３０４だけを図示したブロック図である。また図５は、図３の実施例で説明したブロック構成図においてデータベース３０１、放送素材記録部２０１、及び、制御部３０３だけを図示したブロック図である。
【００２２】
図４において、編集が完了した放送素材（例えば、編集後映像データ２０６）は、ＶＴＲへ書き出すためのタイムコードを持っているが、ネットワーク回線２００を介して伝送され、放送素材記録部２０１に記録された放送素材には、そのタイムコードは反映されない。このため、編集器３０４から放送素材記録部２０１に放送素材２０６を出力する時に、データベース３０１の対応する放送素材２０６に１対１に対応する元素材のデータに、放送する時の基準タイムコードデータ４０１の書き込みを行う。
基準タイムコードデータ４０１は、データベース３０１内のデータ領域に、例えば、放送素材２０６の素材名が“素材Ｘ”ならば、「素材Ｘ、01：00：00：00」、素材名が“素材Ｙ”ならば、「素材Ｙ、10：00：00：00」、素材名が“素材Ｚ”ならば、「素材Ｚ、01：00：00：00」、等と記録される。
【００２３】
放送時には、図５に示すように、制御部３０３が当該放送素材（例えば、編集後映像データ２０６）の基準タイムコードデータ４０１を要求するために、タイムコード要求信号５０１をデータベース３０１に出力する。データべース３０１は、要求されたタイムコードデータ４０１を制御部３０３に出力する。
放送時には、制御部３０３では、オペレータは、送出端子２０９に接続されているマスター等に含まれる図示しない送出監視用のモニタを見て送出映像や音声に異常がないかどうか確認している。この時に、制御部３０３は、データベース３０１から取得した、基準タイムコードに経過時間を加算したタイムコードをモニタに表示して、タイムコードの確認を行っている。
【００２４】
上述の実施例のように、従来は放送素材記録部にテープからの素材収録を行う際、放送素材記録部はタイムコードデータを持たないため元素材のタイムコード情報は破棄される。しかし、本発明では、この時、放送素材記録部及びＶＴＲの制御を行う制御部が、ＶＴＲ上での現在のタイムコードを読み取り、データベースに記録することにより、元素材のタイムコードをデータベース上に残すことができる。
更に、本発明において、編集器では、放送素材記録部から編集用の素材をネットワーク回線を介して取得する時に、同時にデータベースから対応する素材のタイムコード情報を取得し、基準タイムコードとして表示する。これにより、編集作業中に元素材ＶＴＲのタイムコードを利用することが可能となる。
また、編集完了時に、データベース上に編集機上で設定した基準タイムコードを書き込むことにより、放送時に編集機上で設定したタイムコードを利用することができる。
【００２５】
上記実施例によれば、放送素材を収録、編集、及び放送する番組編集送出システムにおいて、元素材を記録する放送素材記録部と、データベースと、データベースに元素材が持つタイムコードデータを保存する制御部と、放送素材記録部に記録された元素材をネットワーク回線を介して取得し、取得した元素材を編集して放送素材を編集する編集器であって、データベースに記録されたタイムコードデータを利用してタイムコードを設定し、設定したタイムコードデータをデータベースに記録すると共に放送素材記録部に記録する編集器とを備えた番組編集送出システムでは、放送素材格納装置及びネットワークを使用した編集システムにおいて、従来のテープの編集機同様にタイムコードを扱うことができ、編集作業の効率を保つことができる。
【００２６】
また上記実施例によれば更に、放送素材を収録、編集、及び放送する番組編集送出システムにおいて、元素材を記録する放送素材記録部と、データベースと、データベースに元素材が持つタイムコードデータを保存する制御部と、放送素材記録部に記録された元素材をネットワーク回線を介して取得し、取得した元素材を編集して放送素材を編集する編集器であって、データベースに記録されたタイムコードデータを利用してタイムコードを設定し、設定したタイムコードデータをデータベースに記録すると共に放送素材記録部に記録する編集器とを備えた番組編集送出システムであって、更に制御部は、編集器が設定し、データベースに記録されたタイムコードデータを利用して、編集器で編集された放送素材を送出する番組編集送出システムでは、また、編集時に設定したタイムコードを放送時に利用することで番組送出の信頼性の向上を実現できる。
【図面の簡単な説明】
【００２７】
【図１】従来の番組編集送出システムの一部を説明するための簡単なブロック図。
【図２】従来の番組編集送出システムの一部を説明するための簡単なブロック図。
【図３】本発明の番組編集送出システムの構成を示すブロック図。
【図４】本発明の番組編集送出システムの構成の一部を示すブロック図。
【図５】本発明の番組編集送出システムの構成の一部を示すブロック図。
【符号の説明】
【００２８】
１０１：元素材テープ、  １０２：再生用ＶＴＲ、  １０３：再生制御信号、  １０４：元素材映像音声信号、  １０５：編集器、  １０６：収録制御信号、  １０７：編集後の映像音声信号、  １０８：収録用ＶＴＲ、  １０９：編集テープ、  ２００：ネットワーク回線、  ２０１：放送素材記録部、  ２０２：制御部、  ２０３：再生制御信号、  ２０４：元素材収録再生制御信号、  ２０５：元素材データ、  ２０６：編集後映像データ、  ２０７：放送素材、  ２０８：編集器、  ２０９：送出端子、  ３０１：データベース、  ３０２：基準タイムコードデータ、  ３０３：制御部、  ３０４：編集器、  ４０１：基準タイムコードデータ、  ５０１：タイムコード要求信号。
【図１】
2009077247.tif 000003
【図２】
2009077247.tif 000004
【図３】
2009077247.tif 000005
【図４】
2009077247.tif 000006
【図５】
2009077247.tif 000007